(57)【要約】【課題】単一ページウェブサイトの構築方法を提供する。【解決手段】単一ページウェブサイト構築方法の特色は、複数の機能が単一ページにあり、マルチメディアプレビューとスクロール制御により一定時間小さな領域に多数の商品を掲載でき、それらの商品のために大きなスペースを割かなくて済むことにある。マルチメディアコントロールは、カメラアングルや視野を示すスタジアムレイアウトコントロールのような、より複雑なアプリケーション特有のコントロールと同様に静止画像のリストスクロールも含む。このインターフェースは各種ビジネス、例えば、スポーツイベント、インタビュー、製品マーケティングに応用できる。【選択図】図１３
2007157111.tif 000002
【特許請求の範囲】
【請求項１】
ウェブサイトインターフェースの構築方法であって、第一数字を有する前記ウェブサイトインターフェースの特色群を決定する工程と、スクリーン領域を第二数字を有するサブペイン群に分割し、これにより、数個のサブペインが前記スクリーンをカバーする工程と、前記特色群の各特色を前記サブペイン中の一サブペインに設計する工程と、からなり、前記第二数字は、前記第一数字と等しいかそれより大きいことを特徴とするウェブサイトインターフェースの構築方法。
【請求項２】
前記第二数字は前記第一数字と等しいことを特徴とする請求項１に記載のウェブサイトインターフェースの構築方法。
【請求項３】
更に、
ユーザースクリーンのスクリーン幅と高さを決定する工程と、前記スクリーン領域を配分する工程と、からなり、これにより、前記スクリーン領域は、前記スクリーン幅と等しいか、それより小さい領域幅を有し、前記スクリーン領域は、前記スクリーンの高さと等しいか、それより小さい領域の高さを有することを特徴とする請求項１に記載のウェブサイトインターフェースの構築方法。
【請求項４】
更に、サブペイン群の一サブペインのサイズを変更するユーザーサイズ変更リクエスト入力を受信する工程と、前記ユーザーサイズ変更リクエスト入力に基づいて、前記サブペイン群のサブペインのサイズを変更する工程と、前記サブペイン群のサブペインのサブセットの大きさを調整して、レイアウトプランにより前記スクリーン領域をカバーする工程と、からなることを特徴とする請求項１に記載のウェブサイトインターフェースの構築方法。
【請求項５】
更に、前記サブペインの一サブペインを割り当て、投票サブペインとする工程と、前記投票ペインでオプションのユーザー入力を表示する工程と、ユーザー入力を受信する工程と、前記オプションのユーザー入力リクエストに付随する情報を有する前記投票サブペインを更新する工程と、からなることを特徴とする請求項１に記載のウェブサイトインターフェースの構築方法。
【請求項６】
更に、複数のマルチメディアフィードを提供する工程と、前記サブペインの第一サブペインを割り当て、マルチメディアストリームセレクターサブペインとする工程と、前記マルチメディアストリームセレクターサブペインでユーザーの選択入力を受信する工程と、前記ユーザーの選択入力により、前記マルチメディアストリームセレクターサブペインで前記複数のマルチメディアフィードの中の一マルチメディアフィードを表示する工程と、からなることを特徴とする請求項１に記載のウェブサイトインターフェースの構築方法。
【請求項７】
更に、前記サブペイン群の第三サブペインを割り当て、広告サブペインとする工程と、複数のスポンサーを設定する工程と、前記複数のスポンサー中の各スポンサーに、前記複数のマルチメディアフィードの一マルチメディアフィードを割り当てる工程と、前記広告サブペインで、スポンサーにより提供される広告を表示し、前記ユーザーは、スポンサーに割り当て済みのマルチメディアフィードを選択する工程と、からなることを特徴とする請求項６に記載のウェブサイトインターフェースの構築方法。
【請求項８】
更に、
前記マルチメディアストリームセレクターサブペイン上で、複数の代表イメージを表示し、これにより、各代表イメージは、前記複数のマルチメディアフィード中の一マルチメディアフィードを表す工程と、前記ユーザーが前記複数の代表イメージの一代表イメージの入力を選択する時、前記マルチメディアサブペインは、前記代表イメージによる前記マルチメディアフィードを表示する工程と、からなることを特徴とする請求項６に記載のウェブサイトインターフェースの構築方法。
【請求項９】
更に、複数のマルチメディアフィードを有する物理的な配置の代表イメージを表示する工程と、複数のハイパーリンクを提供し、前記複数のハイパーリンク中の一ハイパーリンクは、前記複数のマルチメディアフィードの一つに対応リンクする工程と、前記ハイパーリンクが前記マルチメディアフィードに連結される時、マルチメディアフィードに関係する代表イメージを表示する工程と、
前記ユーザーの選択入力は、前記代表イメージ、或いは、前記ハイパーリンクを選択する時、前記マルチメディアサブペイン上で、ハイパーリンクに連結される前記マルチメディアフィードを表示する工程と、からなることを特徴とする請求項６に記載のウェブサイトインターフェースの構築方法。
【請求項１０】
ウェブサイトインターフェースの構築方法であって、第一数字を有する前記ウェブサイトインターフェースの特色群を決定する工程と、ユーザースクリーンのスクリーン幅と高さを判断し、前記スクリーン領域を配分して、これにより、前記スクリーン領域は、前記スクリーン幅と等しいか、それより小さい領域の幅を有し、前記スクリーン領域は、前記スクリーンの高さと等しいか、それより小さい領域の高さを有し、前記スクリーン領域を第二数字を有するサブペイン群に分割し、これにより、前記複数のサブペインが前記スクリーンをカバーする工程と、前記特色群の各特色を前記サブペイン中の一サブペインに設計する工程と、からなり、前記第二数字は、前記第一数字と等しいことを特徴とするウェブサイトインターフェースの構築方法。
【発明の詳細な説明】
【技術分野】
【０００１】
本発明は、ウェブサイトインターフェースに関するものであって、特に、混乱を減少させ、相互交流を簡潔にする単一ページウェブサイト構築方法に関するものである。
【背景技術】
【０００２】
公知技術において、ユーザーはウェブサイトを通じてリンクにより新しいページを開く。次のウェブページを開く時、ユーザーは前に開いたウェブページをウィンドウ上から消す。ブラウザは一般に閲覧済みのページを履歴データに保存し、これにより、ユーザーは前の閲覧済みのページに戻ることができる。また、特定のウェブページは、有効空間以上のデータを含むので、ユーザーは上下にスクロールして更に多くのデータを閲覧する。
【０００３】
しかし、これはユーザーがウェブページで迷う恐れがある。不良設計や不要な複雑性により、ユーザー複数のウェブページ中で繰り返し閲覧しなければならない。例えば、ショッピングカートからアイテムページに行き、ショッピングカードに戻り、その後、別のアイテムページに行って、ショッピングカートに戻り、チェックアウトページに行く等である。ユーザーが必要な情報、例えば、現在の商品代金小計、アイテム数、重量、アイテムの在庫状況等のデータは見ることができず、ユーザーは閲覧履歴データに戻らなければならず、ウェブの履歴データメカニズムによりデータを失う可能性がある。これらは時間を浪費し、ユーザーのミスが生じる可能性が高い。
【０００４】
また、このインターフェースの不便さによってユーザーは興味を失ったり、購入アイテムを忘れたり、苛立ちを感じたりするかもしれない。この他、ユーザーがウェブ中の全く異なるセクション、例えば、カスタマーサービスセクション等に行きたい場合、ユーザーが行きたいセクションに達する前に、、いくつものリンクを辿って遠回りしなければならない。これらの問題は、ウェブがユーザーの興味を維持する時間と潜在的利益を減少させ、ウェブの価値と実用性を低下させる。
【０００５】
よって、上述の問題を改善するウェブサイトの構築方法が必要である。
【発明の開示】
【発明が解決しようとする課題】
【０００６】
解決しようとする課題は、複数のサブペインでユーザー情報を提示する単一ページウェブサイト構築方法を提供することである。
【０００７】
本発明は、更に、単一ページウェブサイトインターフェースを有するウェブサイトの構築方法を提供する。
【０００８】
本発明は更に、静止画像スクロールバーを使用し、プレビューペインとディスプレイウィンドウを有する単一ページウェブサイトインターフェース構築方法を提供し、ユーザーが複数のアイテム中から選択し詳細を調べられるようにすることをもう一つの目的とする。
【０００９】
本発明は、更に、ユーザーが多角的カメラアングル制御を選択できる単一ページウェブサイトインターフェースの構築方法を提供し、これにより、ユーザーは多角的な視点で選択できるようにすることを更なる目的とする。
【００１０】
本発明は、更に、スポンサーに１台或いは複数のカメラに出資するという解決方法を提供することで、広告収入のモデルを提供することを最後の目的とする。
【課題を解決するための手段】
【００１１】
単一ページウェブサイト構築方法は、複数の機能が単一ページにあり、マルチメディアプレビューと一定時間小さな領域に多数の商品を掲載でき、商品のために大きなスペースを割かなくて済むことにある。マルチメディアコントロールは、カメラアングルや視野を示すスタジアムレイアウトコントロールのような、より複雑なアプリケーション特有のコントロールと同様に、静止画像リストスクロールも含む。このインターフェースは各種ビジネス、例えば、スポーツイベント、インタビュー、商品販売、マーケティング等に応用できる。
【発明の効果】
【００１２】
本発明は単一ページウェブサイト構築方法を提供し、インターフェースの速度と品質が大幅に改善される。
【発明を実施するための最良の形態】
【００１３】
図４は、本発明の単一ページウェブサイトのマルチメディアペインの詳細図であって、マルチメディアペイン１１０は、画像表示領域１１１、音量調節１１２、一時停止／再生ボタン１１３、及び、注文ボタン１１４、からなる。それは、ウェブ設計者が選択したとおりに静止画像、或いは、ビデオを表示する。
【００１４】
図３は、本発明の単一ページウェブサイトの静止画像スクロールバーの詳細図である。静止画像スクロールバー１２０は、ウィンドウシェードバー１２１、トグルボタン１２２、プレビューペイン１２３、起動ボタン１２４、及び、タブスクロールリスト１２５、からなる。タブスクロールリスト１２５は、左ボタン１２５１、右ボタン１２５２、画像領域１２５３、タブバー１２５４、からなり、複数のタブ１２５５〜１２５６と複数の画像１２５７〜１２６０を有する。常に表示される画像数は、画像のサイズとアスペクト比によって変化し、画像領域１２５３の幅、高さ、及び、総再生画像数などである。タブバー１２５４はタブ１２５５〜１２５６を有し、通常は、製品、或いは、アイテム、或いは、トピックスの異なるグループの中から選択する。常に表示されるタブ数は、ウェブ設計者の選択、製品、或いは、アイテム、或いは、トピックの数、或いは、画像領域１２５３の幅により変化する。タブ１２５５、１２５６をクリックすることで通常は、製品、或いは、アイテム、或いは、トピックの異なるグループの中から選択し、関連する連続した画像１２５７〜１２６０を呼び出して、画像領域１２５３でスクロールする。左ボタン１２５１、或いは、右ボタン１２５２をクリックすると、画像はそれぞれ、左、或いは、右からスクロールする。この他、ユーザーが左ボタン１２５１、或いは、右ボタン１２５２をクリックしていない時、画像は、自動的に初期設定方向にスクロールする。左ボタン１２５１、或いは、右ボタン１２５２をクリックした後も、スクロールの動作を一時停止して、設定時間内でユーザーが興味のあるアイテムを閲覧できるようにする。画像１２５７、１２５８、１２５９、１２６０をクリックして、プレビューペイン１２３上でプレビュー表示ができる。起動ボタン１２４をクリックすると、マルチメディアペイン１１０の画像表示領域１１１でフル画像が表示される。
【００１５】
図１は、本発明の製品マーケティングの単一ページウェブサイトのレイアウト例を示す。ページ１００は、タイトル領域１０１、マルチメディアペイン１１０、静止画像スクロールバー１２０、イベントペイン１３０、広告ペイン１４０、多機能ペイン１５０、及び、フッター１６０からなる。このレイアウト例は、左領域と右領域に分割され、左領域はマルチメディアペイン１１０、静止画像スクロールバー１２０、イベントペイン１３０を含む。右領域は広告ペイン１４０、多機能ペイン１５０を有する。静止画像スクロールバー１２０、イベントペイン１３０、及び、多機能ペイン１５０は、それぞれ、ウィンドウシェードバー１２１、１３１、１５１、及び、トグルボタン１２２、１３２、１５２を有する。オープンペインのトグルボタン１２２、１３２をクリックすることで、各ペインをウィンドウシェードバーのサイズにまで垂直に収縮させて、これにより、ページの領域を増やしマルチメディアペイン１１０を拡大し、画像表示領域１１１を広げる。画像表示領域１１１は、アスペクト比をそのまま維持するか、或いは、適当なアスペクト比に調整する。反対に、クローズペインのトグルボタン１２２、１３２をクリックすると、その各ペインは垂直に拡大され、元のレイアウトサイズに戻ると共に、ページ上のマルチメディアペイン１１０の使用可能面積は減少する。マルチメディアペイン１１０のサイズは自動的に調整され、最大使用可能面積を占め、ユーザーは画像表示領域１１１で、できる限り大きな画像でマルチメディアコンテンツが見られる。次に、画像のアスペクト比を、維持又は適当な比例に調整する。トグルボタン１５２をクリックすると、同様に、多機能ペイン１５０のサイズを縮小、拡大させ、サイズの縮小、拡大は、多機能ペイン１５０が現在開いているか閉じているかで決定される。これにより、広告ペイン１４０が対応して自動展開、或いは、縮小する。多機能ペイン１５０は、幅広く変更可能な応用方法を有し、消費者意見調査、消費者サービスチャットルーム、ベンダーへの応用、製品、或いは、サービス情報、製品評価調査、及び、数種の製品特性比較などである。
【００１６】
図２は、本発明の製品マーケティングの単一ページウェブサイトのレイアウト例を示す図である。このレイアウトは、イベントペイン１３０をそのウィンドウシェードバー１３１サイズに縮小したページ２００を有し、そのトグルボタン１３２がクリックされた後、更に、マルチメディアペイン１５０も同様に、そのトグルボタン１５２がクリックされた後、そのウィンドウシェードバー１５１のサイズに縮小される。マルチメディアペイン１１０と広告ペイン１４０は対応して展開し、マルチメディアペイン１１０の画像表示領域１１１も伴って同様にサイズを拡大し、画像表示領域１１１のアスペクト比を維持する時、音量調節１１２、一時停止／再生ボタン１１３、注文ボタン１１４は、設計者による設定で、容納が最大な画像表示領域１１１に自動調整される。
【００１７】
図５は、本発明のスポーツイベントの単一ページウェブサイトのレイアウト例を示す図である。このページ５００は、タイトル領域１０１、マルチメディアペイン１１０、静止画像スクロールバー１２０、統計ペイン５３０、広告・投票ペイン５４０、チャットルームペイン５５０、及び、フッター１６０からなる。マルチメディアペイン１１０と静止画像スクロールバー１２０は、第一実施例と類似している。しかし、その他のペインは、異なる目的を達成するものである。統計ペイン５３０は、現在のスポーツイベント統計、及び／又は、過去の類似するスポーツイベントに関する統計、例えば、そのイベント全体について、参加チームについて、個別の選手についての統計等を表示する。統計ペイン５３０は、ウィンドウシェードバー５３１、トグルボタン５３２、統計表示領域５３３、及び、複数のタブ５３４〜５３６を有する。このタブはユーザーに異なる統計グループから選択できるようにするものである。例えば、イベントが野球である場合、各回の得点は第一タブ、打者の打数は第二タブ、チームの記録は第三タブに表示される。注意すべきことは要望により更に多くの、或いは、更に少ないタブを使用することができることである。広告・投票ペイン５４０はスポンサーが広告を掲載すると共に、ユーザー投票を実施したりして、ユーザーの興味を引くことができる。例えば、このスポーツイベント中のベストプレーヤー、或いは、最も印象に残るプレイについての投票を実施すると共に、“ベストビール、ライトビール、ドラフトビール？”といった公告特有のユーモラスな投票項目を用いることも可能である。投票時、サブミットボタン５４１と複数の投票選択５４２〜５４４が表示されて、ユーザーが選択する。チャットルームペイン５５０は、ファンがこのイベントや彼らの間で興味があることを討論でき、この討論は、サイト管理者が状況に応じて管理する。チャットルームペイン５５０は、ウィンドウシェードバー５５１、トグルボタン５５２、表示領域５５３、ユーザーエントリー領域５５４を有する。
【００１８】
図７は、本発明の単一ページウェブサイトのユーザーが選択可能なカメラアングル制御の詳細図である。ユーザーにアングル選択を提供する複数のカメラアングル制御６１０は、ウィンドウシェードバー１２１、トグルボタン１２２、プレビューペイン１２３、起動ボタン１２４、及び、スタジアムレイアウト６２５からなる。スタジアムカメラレイアウト６２５は、スタジアムレイアウト６３０、複数の表記されたカメラポジション６４０〜６４５、複数のカメラボタン６５０〜６５５、及び、複数のコールアウト直線６６０〜６６５からなる。一つのカメラポジションにつき一つのカメラボタンがあり、且つ、各カメラボタンはからはコールアウト直線が引かれ、対応するカメラポジションをその直線で指し示す。例えば、カメラボタン６５０は対応するカメラポジションがとらえる視野６７０の画像を呼び出し（本レイアウト中、カメラポジション６４０）、スタジアムレイアウト６３０中で指し示される。カメラボタン６５０〜６５５をクリックし、プレビューペイン１２３でプレビュー表示する。起動ボタン１２４をクリックした後、マルチメディアペイン１１０の画像表示領域１１１はフル表示される。
【００１９】
図６は、本発明の単一ページウェブサイトレイアウトを示す図である。ページ６００と図５は類似しているが、静止画像スクロールバー１２０と統計ペイン５３０は図７中で示される多角的カメラアングル制御６１０に代替される。
【００２０】
図８は、本発明のスポーツイベント単一ページウェブサイトレイアウトを示す図である。ページ８００は、マルチメディアペイン１１０を有し、最大限に展開されて、ページ８００全体を占有し、選択したイベントカメラの全視野を表示する。
【００２１】
図９と図１０は、ユーザーが多角的カメラアングル制御を選択できるレイアウトの第一、第二レベルを示す。本実施例中、この特殊なスポーツイベントは、ゴルフトーナメントで、多くのカメラを使うので、複数の層に分けることが必要とされる。図中では、二個の層しか示されないが、これは本発明の構造を簡潔に説明するためのものであり、いかなる数の層でも実行できる。カメラアングル制御６１０を最初に、最高層レイアウト６２６Aで表示し、ゴルフ場の全体像を表示する。独立したホール９１０〜９１８を選択し、低層レイアウト６２６Bを生成し、独立ホール９１３の配置とそのカメラ１０１０〜１０１７の位置を表示する。例えば、各ホール、カメラ、或いは、ティー１０１０〜１０１１におけるカメラアングル、フェアウェイ１０１２を見下ろすカメラ、ラフ１０１３〜１０１４をとらえる各サイドのカメラ、個々のトラップ１０１５カメラ、及び、グリーン１０１６〜１０１７をとらえる少なくとも１台のカメラは、ユーザーにより、低層レイアウト中から選択される。便宜上、カメラボタン１０２０〜１０２７は計画的に配列され、コールアウト直線は対応するカメラポジション１０１０〜１０１７を示す。例えば、カメラボタン１０２５は対応するカメラポジション（本実施例中、カメラポジション１０１５）のカメラがとらえる視野の画像を呼び出し、そのレイアウト６２６B中で表示される。低層レイアウト６２６BはUPボタン６２６Uを選択し、次に高い層のレイアウトを表示する。この場合、この最高層レイアウト６２６Aである。二層以上を有するレイアウトの場合、低層レイアウト６２６BはTOPボタン６２６Tを選択し、最高層レイアウト６２６Aに戻る（ここで示されるのは、二レベルのレイアウトで、TOPボタン６２６TはUP
ボタン６２６Uに相当する）。
【００２２】
本発明の単一ページウェブサイトは製品マーケティングやスポーツイベントに制限されず、幅広く応用できる。例えば、グループインタビューや、カスタマーササービス、市場調査、市場反応調査、及び、出会い系サイトなどである。ホームセキュリティにも応用でき、ユーザーが家を出るとき、家を監視することができる。本発明は地理上の小区域に制限されず、地域道路システムの交通管理、農家主人が柵に囲われた或いは開放された場所に放牧した家畜の監視、商業用パイプライン、やインフラ整備の監視、或いは、“世界のウェブカメラ”としても応用でき、世界各地のウェブカメラが世界地図と繋がり、観光事業の促進、学術、或いは、教育利用、又は、災害監視と再建、これら全てが本発明の応用できる範囲である。
【００２３】
潜在的な応用手段としてコンサートがある。このようなイベントの複数のカメラアングル制御６１０は、図１１で示されるように、コンサートレイアウト６２７を有する。カメラボタン６５０〜６５７を使用し、ユーザーはカメラポジション６４０〜６７０を選択し、舞台の広い視野、舞台上の個々の演奏者、或いは、演奏グループを表示する。一人の演奏者を多角度から複数のカメラが映す方法が有効である場合もある。例えば、ロックグループのリードボーカルを撮るときなどである。その他のカメラは広視野で聴衆を映す。人的制御のカメラも選択でき、聴衆の中の一人一人を映したり、或いは、カメラをぐるっと回して聴衆全体を映すこともできる。
【００２４】
図１２は図１１と結合され、広告・投票ペイン５４０は、コンサートツアーの関連グッズ販売促進のための広告手段として利用できる。例えば、Tシャツ、その他の服飾品、コンサートの音声、或いは、ビデオ（ダウンロード用、或いは、通信販売用）、又はチャリティコンサートでの寄付、チャリティーオークションアイテムなどがある。チャリティーオークションアイテムは投票機能を利用してオークションにかけられ、金額の大きいアイテムに関しては、クレジットカードを照合して信用確認する。広告・投票ペイン５４０はグループの過去のCDやビデオアイテムの宣伝や販売（ダウンロード、或いは、通信販売）にも利用できる。ユーザーが舞台上の一人のパフォーマーを映すカメラを選択するとき、広告はそのパフォーマーの過去のソロアルバム、或いは、そのパフォーマーが参加したコラボレーション作品に的を絞る。ユーザーがグループ全体を表示するカメラを選択する時、グループの過去の業績に焦点を当てる。チャットルームペイン５５０は、視聴者に相互交流の機会を提供し、そのパフォーマンスや聴衆について討論できるようにする。
【００２５】
広告スポンサー付きのカメラに加えて、舞台裏のカメラで撮った映像をユーザーに有料で提供することは、コンサートのメイキングや舞台裏の様子を見たい視聴者のための“バックステージパス”として、更なる利益を生むオプションになる。コンサートの前、休憩時間、コンサート後、ユーザーが選択できるカメラアングル制御６１０は、静止画像スクロールバー１２０の表示に切り替わり、事前に録画したインタビュー、過去のコンサート、或いは、その他の興味あるアイテムを選択して見ることができる。これらはユーザーの興味を維持できるので、より多くの広告がユーザーの目に触れ、潜在的利益の増大に有効である。
【００２６】
コンサートの主催者が関連グッズの販売促進と広告の全てを自分達で行うことを避けたい場合がある。部分的な広告にしても全体的な広告にしても、的を絞った広告システムをそのような商品販売者に有料で提供することで更なる利益を生むことができる。
【００２７】
インタビューや出会い係サイトへの応用において、ユーザーのウェブカメラは静止画像スクロールバーにより選択されると共に、チャットルームペインは、ユーザーの設定により、現在の選択リストに従ってグループチャット、或いは、一対一のチャットを実行する。この選択リストは、マルチメディアペインの表示領域上で表示される。この応用によると、更に多くの、或いは、更に少ないペインが水平やマス目等の異なるレイアウトで使用される。本発明の単一ページウェブサイトの特色は、複数の機能を単一ページに収め、マルチメディアプレビューを有し、大きなスペースを使って多数の商品を表示する代わりに、小さな領域で一定時間それらの商品を表示するスクロール制御を有することにある。
【００２８】
本発明は更に、スポンサーに個々のカメラに出資する機会を提供する。余分なカメラコストはスポンサーの広告料によって埋め合わされるといった、効果的な広告スポンサービジネスのモデルを提供する。このような方式において、ユーザーが特定のカメラアングルを選択する時、スポンサーの製品、或いは、サービスの広告が広告ペインで表示される。
【００２９】
注意すべきことは、この特定のレイアウトは適宜修正されて各種要求に対応することができることである。
【００３０】
本発明の長所は、公知のインターフェース全体とコンテンツのデータを伝送する代わりに、更新が必要なインターフェース内のペインと領域のデータだけを伝送できる。このような方式は、インターフェースの統計領域データを継続的に再度伝送する必要がなく、インターフェースの速度と品質を大幅に改善する。
【００３１】
この他、本発明はスクロールバーが不要な単一ペインインターフェースを提供するので、ユーザーの満足度が向上し、使い勝手も改善される。その結果、ユーザーが更に続けて使用し、リピーター獲得率も大幅に増加する。
【００３２】
図１３は、本発明のウェブページインターフェースの構築方法を示すフローチャートである。このウェブページインターフェースの構築方法１０００は、この要求特色を判断する工程１０１０から開始される。続いて、工程１０２０で、使用可能な表示領域を決定する。工程１０３０中、スクリーン領域配分を実行する。このスクリーン領域は工程１０４０中、複数のサブペイン１０４０に分割される。これにより、サブペインはこの配分されたスクリーン領域をカバーし、サブペインの数は、望まれる特色の数以上である。工程１０５０で、各サブペインはサイトの望まれる特色に割り当てられるか、或いは、設定される。注意すべきことは、使われないまま放置されるサブペインが無いのが理想であるが、これはオプションだということである。
【００３３】
図１４は、本発明のウェブページインターフェースの第二構築方法を示すフローチャートである。この方法２０００は、１０００中の工程１０１０〜１０５０を含む。工程１０５０中でサイトの基礎作成がで終了したら、ウェブサイトはユーザーの入力を待ってオペレーションを始める。一般のウェブサイト活動に加え、本発明は、ウェブページレイアウトを管理する。ユーザーがウィンドウシェード（WINDOWSHADE）トグルボタンをクリックると、
対応するサブペインは、開いた状態から閉じた状態に、或いは、閉じた状態から開いた状態にしてサイズを調整する。これは、初期状態に基づいており、その他のサブペインは、レイアウトマネージャーにより適宜自動的にサイズ変更される。工程１０６０で、ウェブサイトはサブペインに対するユーザーのサイズ変更リクエストを受信する。工程１０７０中、ウェブサイトはサブペインのサイズを調整して、開閉を便利にする。工程１０８０で、ウェブレイアウトマネージャーはレイアウト方針により、残りのサブペインの空間を再配分する。
【００３４】
図１５は、本発明のウェブページインターフェースの第三構築方法を示すフローチャートである。図１５は、マルチメディア選択ペインとマルチメディアペインを提供し、図１４を発展させたものである。この方法３０００は、２０００中の工程１０１０〜１０８０を含む。これらは上述の工程１０５０で詳細に設定される。ユーザーマルチメディア選択のリクエストが工程１０６０で受信された場合、ウェブは工程１０９０に進み、マルチメディアペインで対応するマルチメディアフィード（FEED）を表示する。ウェブサイト方法はその後、工程１０６０に戻り、ユーザー入力を待つ。
【００３５】
本発明では好ましい実施例を前述の通り開示したが、これらは決して本発明の実施の範囲を限定するものではなく、当該技術を熟知する者の成しえる変更、もしくは修正であっても、本発明の精神と領域を脱しない範囲内で各種の変更や潤色を加えることができ、かつ本願発明に対して均等の効果を有するものはいずれも本発明の特許請求の範囲に属するものとする。
【図面の簡単な説明】
【００３６】
【図１】本発明の製品マーケティングの単一ページウェブサイトのレイアウト例を示した説明図である。
【図２】本発明の製品マーケティングの単一ページウェブサイトのレイアウト例を示した説明図である。
【図３】本発明の単一ページウェブサイトの静止画像スクロールバーの詳細図である。
【図４】本発明の単一ページウェブサイトのマルチメディアペインの詳細図である。
【図５】本発明のスポーツイベントの単一ページウェブサイトのレイアウト例を示す図である。
【図６】本発明のスポーツイベントの単一ページウェブサイトのレイアウト例を示す図である。
【図７】本発明の単一ページウェブサイトのカメラアングル制御の詳細図である。
【図８】本発明のスポーツイベントの単一ページウェブサイトレイアウトを示す図である。
【図９】本発明の単一ページウェブサイトの多層カメラアングル制御の第一レベルの詳細視野を示す図である。
【図１０】本発明の単一ページウェブサイトの多層カメラアングル制御の第二レベルの詳細視野を示す図である。
【図１１】本発明の単一ページウェブサイトの多角度カメラアングル制御の詳細視野を示す図である。
【図１２】本発明のコンサートの単一ページウェブサイトのレイアウト例を示す図である。
【図１３】本発明の第一実施例によるウェブページインターフェースの構築方法である。
【図１４】本発明の第二実施例によるウェブページインターフェースの構築方法である。
【図１５】本発明の第三実施例によるウェブページインターフェースの構築方法である。
【符号の説明】
【００３７】
１００  ページ
１０１  タイトル領域
１１０  マルチメディアペイン
１１１  画像表示領域
１１２  音量調節
１１３  一時停止／再生ボタン
１１４  注文ボタン
１２０  静止画像スクロールバー
１２１  ウィンドシェードバー
１２２  トグルボタン
１２３  プレビューペイン
１２４  起動ボタン
１２５  タブスクロールリスト
１２５１  左ボタン
１２５２  右ボタン
１２５３  画像領域
１２５４  タブバー
１２５５、１２５６  タブ
１２５７〜１２６０  画像
１３０  イベントペイン
１３１  ウィンドウシェードバー
１３２  トグルボタン
１４０  広告ペイン
１５０  多機能ペイン
１５１  ウィンドウシェードバー
１５２  トグルボタン
１６０  フッター
２００、５００  ページ
５３０  統計ペイン
５３１  ウィンドウシェードバー
５３２  トグルボタン
５３３  統計表示領域
５３４〜５３６  タブ
５４０  広告・投票ペイン
５４１  サブミットボタン
５４２〜５４４  投票ボタン
５５０  チャットルームペイン
５５１  ウィンドウシェードバー
５５２  トグルボタン
５５３  表示領域
５５４  ユーザーエントリー領域
６００  ページ
６１０  ユーザーにアングル選択を提供する複数のカメラアングル制御
６２５  スタジアムカメラレイアウト
６２６A  最高層レイアウト
６２６B  低層レイアウト
６２６U  UPボタン
６２６T  TOPボタン
６２７  コンサートレイアウト
６３０  スタジアムレイアウト
６４０〜６４７  カメラ
６５０〜６５７  カメラボタン
６６０〜６６５  コールアウト直線
６７０  視野
８００  ページ
９１０〜９１８  ホール
１０１０〜１０１７  カメラポジション
１０２０〜１０２７  カメラボタン
【図１】
2007157111.tif 000003
【図２】
2007157111.tif 000004
【図３】
2007157111.tif 000005
【図４】
2007157111.tif 000006
【図５】
2007157111.tif 000007
【図６】
2007157111.tif 000008
【図７】
2007157111.tif 000009
【図８】
2007157111.tif 000010
【図９】
2007157111.tif 000011
【図１０】
2007157111.tif 000012
【図１１】
2007157111.tif 000013
【図１２】
2007157111.tif 000014
【図１３】
2007157111.tif 000015
【図１４】
2007157111.tif 000016
【図１５】
2007157111.tif 000017